(57)【要約】  【課題】  画像プレビュー機能と画像一覧機能とを有する操作ウィンドウを用いて容易に操作することができる金品受領ファイリングシステム、金品受領ファイル閲覧システム及びこれらのシステムとしてコンピュータを機能させるプログラムを提供すること。  【解決手段】  ディスプレイには、プレビューウィンドウ２０及び一覧ウィンドウ３０が互いに隣り合わせとなるように表示される。そして、ウィンドウ２０のプレビュー枠２３にはスキャナにより取得された香典袋の贈主名画像が拡大表示され、金額入力欄２４にはプレビュー枠２３に表示される香典袋に収められていた香典の金額が表示される。そして、ディスプレイ上においてウィンドウ２０の右隣側に表示されるウィンドウ３０の縮小表示枠３１には過去に画像メモリに記憶された贈主名画像が縮小表示され、金額表示欄３２にはそれに併設される縮小表示枠３１に表示される香典袋に収められていた香典金額が対応情報メモリから読み出されて表示される。【選択図】        図６
2006171977.tif 000002
【特許請求の範囲】
【請求項１】
熨斗袋を用いて受領される金品の内訳情報とその熨斗袋に表記される金品の贈主名とを相互に対応つけて管理するための金品受領ファイリングシステムにおいて、
文字や画像などの各種情報を記憶する記憶装置と、
文字や画像などの各種情報を表示する表示画面と、
文字や画像などの各種情報を撮像する撮像装置と、
その撮像装置によって、熨斗袋の表書き面と略等しいサイズの撮像範囲にセットされる熨斗袋の全体画像を撮像して、その熨斗袋に表記される贈主名を撮し込んだ贈主名画像を取得する画像取得手段と、
その画像取得手段により取得される１の贈主名画像を、前記表示画面上の画像プレビュー領域に判読可能なサイズで拡大表示する画像プレビュー手段と、
その画像プレビュー手段により前記画像プレビュー領域に表示される熨斗袋に収められる金品の内訳情報を入力する入力手段と、
その入力手段により入力された内訳情報を、前記画像プレビュー領域に隣接する内訳プレビュー領域に表示させる内訳プレビュー手段と、
その内訳プレビュー手段及び画像プレビュー手段により表示されている内訳情報及び贈主名画像を前記記憶手段に記憶する場合に、その贈主画像および内訳情報を相互に対応つけて前記記憶装置へ書き込むデータ書込手段と、
その記憶装置に記憶される２以上の贈主名画像を、前記画像プレビュー領域よりも小さなサイズで２以上の縮小領域に個別に表示させるとともに、その２以上の縮小領域を前記表示画面上に並べ、且つ、前記画像プレビュー領域の隣側に一覧表示させる画像一覧手段と、
その画像一覧手段により贈主名画像が表示されている前記表示画面上の縮小領域に隣接する内訳領域に、その縮小領域に表示される贈主名画像に対応つけて前記記憶装置に記憶される内訳情報を、表示させる内訳一覧手段とを備えていることを特徴とする金品受領ファイリングシステム。
【請求項２】
前記表示画面上の前記縮小領域のいずれかを選択する選択手段と、
その選択手段により選択された前記縮小領域を検出する選択検出手段と、
その選択検出手段により検出された前記縮小領域に表示される贈主名画像を、前記記憶装置から読み出して、前記画像プレビュー領域に拡大表示させる画像拡大手段と、
その画像拡大手段により贈主名画像が拡大表示される場合に、その贈主名画像に対応つけて前記記憶装置に記憶されている内訳情報を、前記内訳プレビュー領域に表示させる内訳再表示手段とを備えていることを特徴とする請求項１記載の金品受領ファイリングシステム。
【請求項３】
前記データ書込手段によって前記記憶装置へ内訳情報の書き込みがなされ、且つ、その記憶装置に記憶されている内訳情報が金額である場合に、その記憶装置に記憶されている全金額の合計を算出する合計算出手段と、
その合計算出手段により算出された合計金額を、前記表示画面上において前記縮小領域及び内訳領域を包括した領域である一覧領域内に表示する合計表示手段とを備えていることを特徴とする請求項１又は２に記載の金品受領ファイリングシステム。
【請求項４】
コンピュータを、請求項１から３のいずれかに記載の金品受領ファイリングシステムにおける各手段として機能させるためのものであることを特徴とする金品受領ファイリングプログラム。
【請求項５】
熨斗袋を用いて受領される金品の内訳情報とその熨斗袋に表記される金品の贈主名とを相互に対応つけて閲覧するための金品受領ファイル閲覧システムにおいて、
文字や画像などの各種情報を表示する表示画面と、
熨斗袋の全体画像であって当該熨斗袋に表記される贈主名を撮し込んだ贈主名画像と、その熨斗袋に収められる金品の内訳情報とを互いに対応つけて記憶する記憶装置と、
その記憶装置に記憶される２以上の贈主名画像を縮小して前記表示画面上の２以上の縮小領域に個別に表示させる画像一覧手段と、
その画像一覧手段により贈主名画像が表示されている前記表示画面上の縮小領域に隣接する内訳領域に、その縮小領域に表示される贈主名画像に対応つけて前記記憶装置に記憶される内訳情報を、表示させる内訳一覧手段と、
前記表示画面上の前記縮小領域のいずれかを選択する選択手段と、
その選択手段により選択された前記縮小領域を検出する選択検出手段と、
その選択検出手段により検出された前記縮小領域に表示される贈主名画像を、前記記憶装置から読み出して、前記縮小領域よりも大きなサイズに拡大して、前記表示画面上の前記２以上の縮小領域の隣側に配置される拡大領域に表示させる画像拡大手段とを備えていることを特徴とする金品受領ファイル閲覧システム。
【請求項６】
前記表示画面上に設定表示される仮想キースイッチをクリック操作するための画面操作手段と、
その画面操作手段により操作される仮想キースイッチであって、前記拡大領域及び縮小領域と同時に前記表示画面上に表示される変換要求スイッチと、
その変換要求スイッチが前記画面操作手段によりクリックされる場合に、前記記憶装置に記憶されている贈主名画像及び内訳情報を、表計算プログラムによる編集可能なデータファイルに変換するデータ変換手段とを備えていることを特徴とする請求項５記載の金品受領ファイル閲覧システム。
【請求項７】
コンピュータを、請求項５又は６に記載の金品受領ファイル閲覧システムにおける各手段として機能させるためのものであることを特徴とする金品受領ファイル閲覧プログラム。
【発明の詳細な説明】
【技術分野】
【０００１】
本発明は、冠婚葬祭における金品の授受に使用される熨斗袋の贈主とその熨斗袋に収められていた金品に関する情報とを相互に対応させて管理する金品受領ファイリングシステムと、その金品受領ファイリングシステムとしてコンピュータを機能させる金品受領ファイリングプログラムと、冠婚葬祭における金品の授受に使用される熨斗袋の贈主とその熨斗袋に収められていた金品に関する情報とを相互に対応させて閲覧する金品受領ファイル閲覧システムと、その金品受領ファイル閲覧システムとしてコンピュータを機能させる金品受領ファイル閲覧プログラムとに関するものである。
【背景技術】
【０００２】
我が国における冠婚葬祭の折には、金品を熨斗袋に収めて訪問者から訪問先に対して贈るという風習が存在している。そして、このような金品の授受が行われた場合、金品を受領した訪問先では、受領した金品の贈主の氏名と、その受領した熨斗袋に収められていた金品の金額などの内訳とを相互に対応させて帳簿に記録する必要がある。後日、金品の贈主に対する返礼に役立てるためである。
【０００３】
しかしながら、冠婚葬祭の折における上記帳簿の整理は、訪問先の人々にとって極めて慌ただしい中で行われるものでもあり、帳簿の記録ミスを誘発し易い。また一方で、このような帳簿の記録は、慌ただしい中であっても熨斗袋の受領時に並行して行うことで帳簿上の誤りが未然に防止されるものでもある。このため、多数の訪問者の氏名と各人から受領した金品の内訳を慌ただしい中でも簡易且つ正確に記録することが求められる。
【０００４】
このような求めから特開平９−２６９９１号公報には、「複数の紙片に記されたそれぞれの人名を逐次撮像する撮像手段と、これらの人面に対応させて、これらの人面の頭文字を入力する頭文字入力手段と、これらの人名に対応させて、これらの人名に関するそれぞれの付属データを入力する付属データ入力手段と、頭文字入力手段によって入力された各人名の頭文字に基づき、撮像手段によって撮像された各人名の画像を付属データ入力手段によって入力された各人名に関するそれぞれの付属データと共に配列する演算手段と、この演算手段によって配列された各人名の画像を各人名に関するそれぞれの付属データと共に表示する表示手段とを備える来客データ整理装置」が提案されている。
【特許文献１】特開平９−２６９９１号公報
【発明の開示】
【発明が解決しようとする課題】
【０００５】
しかしながら、上記した来客データ整理装置では、撮像手段であるＣＣＤビデオカメラ（２３）にて香典袋の撮像を行う場合に、液晶表示装置（２２）の画面を見ながら、この香典袋を手作業で適宜移動させて、その香典袋の人名記載部分を液晶表示装置（２２）の画面の中央に前もって位置決めしなければならず（上記文献１段落［００１９］参照）、装置の使用者にとって操作が煩雑であるという問題点がある。
【０００６】
また、香典袋の人名の画像をＣＣＤビデオカメラ（２３）により撮像した後、この画像を切り出し区域（５７ａ）によって切り出すための操作を装置の使用者に強いるため（同段落［００２３］参照）、更に操作が煩雑となるという問題点もある。しかも、人名の画像を撮像させた後、人名の頭文字をデータ入力部（５）を操作することにより人名の頭文字を入力しなければならず（同段落［００２４］参照）、慌ただしい中で装置の使用者に更なる煩わしさを与えてしまうという問題点がある。
【０００７】
更に、香典袋の人名の画像を読取るための操作画面（４６）と過去に読取った人名の画像を一覧表示させる一覧画面（６１）とは、これらとは別の統括画面（３６）を介して表示切り替え操作を行わなければそれぞれ表示することができない。このため、操作画面（４６）を用いての人名の画像の読取り中には、香典金額の合計も照会することができず、現金との照合すらできないという問題点がある。しかも、かかる場合には、画面切替に伴う煩雑な操作を伴うため、金額の入力ミスを誘発する虞もあるという問題点がある。
【０００８】
本発明は、上述した問題点を解決するためになされたものであり、画像プレビュー機能と画像一覧機能とを有する操作ウィンドウを用いることでシステムの操作に不慣れな者であっても容易に操作することができる金品受領ファイリングシステム及びそのシステムとしてコンピュータを機能させる金品受領ファイリングプログラム、並びに、金品受領ファイル閲覧システム及びそのシステムとしてコンピュータを機能させる金品受領ファイル閲覧プログラムを提供することを目的としている。
【課題を解決するための手段】
【０００９】
この目的を達成するために請求項１記載の金品受領ファイリングシステムは、熨斗袋を用いて受領される金品の内訳情報とその熨斗袋に表記される金品の贈主名とを相互に対応つけて管理するためのシステムであり、文字や画像などの各種情報を記憶する記憶装置と、文字や画像などの各種情報を表示する表示画面と、文字や画像などの各種情報を撮像する撮像装置と、その撮像装置によって、熨斗袋の表書き面と略等しいサイズの撮像範囲にセットされる熨斗袋の全体画像を撮像して、その熨斗袋に表記される贈主名を撮し込んだ贈主名画像を取得する画像取得手段と、その画像取得手段により取得される１の贈主名画像を、前記表示画面上の画像プレビュー領域に判読可能なサイズで拡大表示する画像プレビュー手段と、その画像プレビュー手段により前記画像プレビュー領域に表示される熨斗袋に収められる金品の内訳情報を入力する入力手段と、その入力手段により入力された内訳情報を、前記画像プレビュー領域に隣接する内訳プレビュー領域に表示させる内訳プレビュー手段と、その内訳プレビュー手段及び画像プレビュー手段により表示されている内訳情報及び贈主名画像を前記記憶手段に記憶する場合に、その贈主画像および内訳情報を相互に対応つけて前記記憶装置へ書き込むデータ書込手段と、その記憶装置に記憶される２以上の贈主名画像を、前記画像プレビュー領域よりも小さなサイズで２以上の縮小領域に個別に表示させるとともに、その２以上の縮小領域を前記表示画面上に並べ、且つ、前記画像プレビュー領域の隣側に一覧表示させる画像一覧手段と、その画像一覧手段により贈主名画像が表示されている前記表示画面上の縮小領域に隣接する内訳領域に、その縮小領域に表示される贈主名画像に対応つけて前記記憶装置に記憶される内訳情報を、表示させる内訳一覧手段とを備えている。
【００１０】
この請求項１記載の金品受領ファイリングシステムによれば、本システムの利用者が熨斗袋を受領すると、その熨斗袋に表記される贈主名を取得するため、その熨斗袋が撮像範囲にセットされる。すると、画像取得手段は、撮像装置によって、熨斗袋の全体画像であって贈主名が撮し込まれた贈主名画像を取得する。そして、この贈主名画像は、画像プレビュー手段によって表示画面上の画像プレビュー領域に拡大表示される。一方、熨斗袋の実物に収められている金銭、金券、又は物品の目録その他の金品に関する内訳情報は、入力手段によって入力されて、内訳プレビュー手段によって、画像プレビュー領域に隣接した内訳プレビュー領域に表示される。
【００１１】
そして、画像プレビュー領域及び内訳プレビュー領域に表示されている贈主名画像及び内訳情報を記憶装置に記憶する場合は、これらの贈主名画像及び内訳情報がデータ書込手段によって互いに対応つけられて記憶装置へと書き込まれる。記憶装置に書き込まれた贈主名画像は、画像一覧手段によって、表示画面上の縮小領域に表示される。このとき、記憶装置に２以上の贈主名画像が記憶されていれば、その２以上の贈主名画像はそれぞれ個別に２以上の縮小領域に表示される。しかも、内訳一覧手段によれば、各縮小領域に表示される贈主名画像に対応つけて記憶装置に記憶される内訳情報が、その縮小領域に隣接する内訳領域に表示される。
【００１２】
また、画像一覧手段によって２以上の贈主名画像が縮小表示される場合、２以上の縮小領域は、画像プレビュー領域の隣側に並べられて表示画面上に一覧表示されると共に、画像プレビュー領域よりも小さなサイズで贈主名画像を表示させる。これによって、画像プレビュー手段により画像プレビュー領域に拡大表示される贈主名画像と共に、画像一覧手段により２以上の縮小領域に縮小表示される２以上贈主名画像とを同時に並べて表示画面上で閲覧することができる。つまり、読取り直後の贈主名画像を画像プレビュー手段によって、なおかつ、それ以前に読取った贈主名画像を画像一覧手段によって、同時に並べて表示画面上に表示できるので、煩雑な画面の切替操作を省略できる。
【００１３】
請求項２記載の金品受領ファイリングシステムは、請求項１記載の金品受領ファイリングシステムにおいて、前記表示画面上の前記縮小領域のいずれかを選択する選択手段と、その選択手段により選択された前記縮小領域を検出する選択検出手段と、その選択検出手段により検出された前記縮小領域に表示される贈主名画像を、前記記憶装置から読み出して、前記画像プレビュー領域に拡大表示させる画像拡大手段と、その画像拡大手段により贈主名画像が拡大表示される場合に、その贈主名画像に対応つけて前記記憶装置に記憶されている内訳情報を、前記内訳プレビュー領域に表示させる内訳再表示手段とを備えている。
【００１４】
この請求項２記載の金品受領ファイリングシステムによれば、請求項１記載の金品受領ファイリングシステムと同様に作用する上、表示画面上の縮小領域に贈主名画像が表示されている場合、選択手段により選択された縮小領域は、選択検出手段により検出される。すると、その選択検出手段により検出された縮小領域に表示される贈主名画像と同じものが、画像拡大手段によって記憶装置から読み出され、画像プレビュー領域に拡大表示される。また更に、その画像拡大手段により拡大表示される贈主名画像に対応つけて記憶装置に記憶されている内訳情報が、内訳再表示手段により内訳プレビュー領域に表示される。
【００１５】
請求項３記載の金品受領ファイリングシステムは、請求項１又は２に記載の金品受領ファイリングシステムにおいて、前記データ書込手段によって前記記憶装置へ内訳情報の書き込みがなされ、且つ、その記憶装置に記憶されている内訳情報が金額である場合に、その記憶装置に記憶されている全金額の合計を算出する合計算出手段と、その合計算出手段により算出された合計金額を、前記表示画面上において前記縮小領域及び内訳領域を包括した領域である一覧領域内に表示する合計表示手段とを備えている。
【００１６】
この請求項３記載の金品受領ファイリングシステムによれば、請求項１又は２に記載の金品受領ファイリングシステムと同様に作用する上、記憶装置に記憶されている金品の内訳情報が金額である場合、その金額がデータ書込手段により記憶装置へ記憶されると、合計算出手段によって、記憶装置に記憶されている全金額の合計が算出される。そして、合計表示手段によって、この合計金額が表示画面上の一覧領域内に表示される。
【００１７】
請求項４記載の金品受領ファイリングプログラムは、コンピュータを、請求項１から３のいずれかに記載の金品受領ファイリングシステムにおける各手段として機能させるためのものである。
【００１８】
請求項５記載の金品受領ファイル閲覧システムは、熨斗袋を用いて受領される金品の内訳情報とその熨斗袋に表記される金品の贈主名とを相互に対応つけて閲覧するためのシステムであり、文字や画像などの各種情報を表示する表示画面と、熨斗袋の全体画像であって当該熨斗袋に表記される贈主名を撮し込んだ贈主名画像と、その熨斗袋に収められる金品の内訳情報とを互いに対応つけて記憶する記憶装置と、その記憶装置に記憶される２以上の贈主名画像を縮小して前記表示画面上の２以上の縮小領域に個別に表示させる画像一覧手段と、その画像一覧手段により贈主名画像が表示されている前記表示画面上の縮小領域に隣接する内訳領域に、その縮小領域に表示される贈主名画像に対応つけて前記記憶装置に記憶される内訳情報を、表示させる内訳一覧手段と、前記表示画面上の前記縮小領域のいずれかを選択する選択手段と、その選択手段により選択された前記縮小領域を検出する選択検出手段と、その選択検出手段により検出された前記縮小領域に表示される贈主名画像を、前記記憶装置から読み出して、前記縮小領域よりも大きなサイズに拡大して、前記表示画面上の前記２以上の縮小領域の隣側に配置される拡大領域に表示させる画像拡大手段とを備えている。
【００１９】
この請求項５記載の金品受領ファイル閲覧システムによれば、熨斗袋の贈主名画像とその熨斗袋に収められる金品の内訳情報とは、相互に対応つけられて記憶装置へと記憶されている。この記憶装置に記憶される２以上の贈主名画像は、画像一覧手段によって、表示画面上の２以上の縮小領域に個別に表示される。また、内訳一覧手段によれば、贈主名画像が表示されている縮小領域に隣接する内訳領域に、その縮小領域に表示される贈主名画像に対応つけて記憶装置に記憶される内訳情報が一緒に表示される。
【００２０】
画像一覧手段によって表示画面上の縮小領域に贈主名画像が表示されている場合、選択手段によりいずれかの縮小領域が選択されると、その選択された縮小領域が選択検出手段により検出される。すると、その縮小領域に表示される贈主名画像と同じものが、画像拡大手段によって記憶装置から読み出され、拡大領域に拡大表示される。このとき、拡大領域は表示画面上の２以上の縮小領域の隣側に配置される。よって、画像拡大手段による贈主名画像の拡大表示と共に、画像一覧手段及び内訳一覧手段による贈主名画像及び内訳情報の一覧表示とを同時に並べて表示画面上で閲覧することができる。
【００２１】
請求項６記載の金品受領ファイル閲覧システムは、請求項５記載の金品受領ファイル閲覧システムにおいて、前記表示画面上に設定表示される仮想キースイッチをクリック操作するための画面操作手段と、その画面操作手段により操作される仮想キースイッチであって、前記拡大領域及び縮小領域と同時に前記表示画面上に表示される変換要求スイッチと、その変換要求スイッチが前記画面操作手段によりクリックされる場合に、前記記憶装置に記憶されている贈主名画像及び内訳情報を、表計算プログラムによる編集可能なデータファイルに変換するデータ変換手段とを備えている。
【００２２】
請求項６記載の金品受領ファイル閲覧システムによれば、請求項５記載の金品受領ファイル閲覧システムの奏する効果に加え、表示画面上の変換要求ボタンが画面操作手段によってクリックされると、記憶装置に記憶されている贈主名画像及び内訳情報は、データ変換手段によって表示計算プログラムで編集可能なデータファイルに変換される。
【００２３】
請求項７記載の金品受領ファイル閲覧プログラムは、コンピュータを、請求項５又は６に記載の金品受領ファイル閲覧システムにおける各手段として機能させるためのものである。
【発明の効果】
【００２４】
本発明の金品受領ファイリングシステムによれば、金品の贈主名画像には熨斗袋の全体画像が用いられるので、熨斗袋における贈主名の表記箇所のみを画像取得する場合のように、熨斗袋の全体画像を撮像した後でトリミングしたり、或いは、贈主名の表記箇所に合わせて撮像範囲の位置決めやサイズを調整したりする必要もなく、本システムの利用者が担う作業負担を軽減できるという効果がある。
【００２５】
ところで、贈主名画像は、熨斗袋の全体画像なので、当該画像上に現れる贈主名の表示サイズも小さくなる。しかしながら、画像取得手段により取得された贈主名画像は、画像プレビュー手段によって、その贈主名を判読可能なサイズにまで拡大されて表示画面上の画像プレビュー領域に表示される。従って、別段、贈主名の表記箇所を抜き出して画像を撮像せずとも、贈主名を充分に判読できるという効果がある。
【００２６】
画像取得手段は、贈主名画像として熨斗袋の全体画像を取得するので、贈主名のみならず、熨斗袋の用途を示す「香典」、「御祝」又は「御霊前」などの表記、及び、水引の形状、模様若しくは色彩又はこれらの組み合わせもなども併せて贈主名画像に撮し込むことができるという効果がある。従って、例えば、記憶装置に記憶される贈主名画像を後日閲覧する場合に、熨斗袋の受領が行われた式典の種別を一目で識別することができるという効果がある。
【００２７】
また、表示画面上の画像プレビュー領域に表示される贈主名画像には、それに対応する金品の内訳情報の入力結果が隣接して表示されるので、当該内訳情報の誤入力を抑制でき、贈主名と内訳情報の入力結果との照合もし易いという効果がある。
【００２８】
更に、表示画面上には、画像プレビュー手段及び内訳プレビュー手段による表示内容の隣側に、記憶装置に予め記憶されている贈主名画像及び内訳情報が一覧表示される。従って、熨斗袋の贈主名画像を取り込むための作業を続けながらでも、これまでに受領した金品の贈主名および内訳情報を閲覧することもできるという効果がある。この結果、熨斗袋の贈主名画像の撮像取得および内訳情報の入力をしながら、過去に受領済みの金品の贈主名および内訳情報の確認を、煩雑な画面切替操作を行わずに並行して行うことができるという効果がある。
【００２９】
請求項２記載の金品受領ファイリングシステムによれば、特に、以下の効果を奏する。例えば、縮小領域に表示される贈主名画像が小さくて贈主名が判読し難いような場合には、選択手段によって縮小領域に表示される贈主名画像を選択すれば、画像拡大手段によって、その選択された贈主名画像を画像プレビュー領域に判読可能なサイズに拡大して表示できるという効果がある。
【００３０】
しかも、選択手段により選択された贈主名画像は、撮像装置により撮像された贈主名画像をプレビューするために使用される画像プレビュー領域に拡大表示される。従って、画像拡大手段により拡大表示される贈主名画像を、縮小領域に表示される贈主名画像の上に被せて積層表示することを防止できる。よって、贈主名画像の拡大表示中であっても、縮小領域に表示される贈主名画像及び内訳領域に表示される内訳情報を閲覧することができるという効果がある。
【００３１】
また、画像プレビュー手段に贈主名画像が拡大表示される場合、内訳プレビュー領域には、その贈主名画像に対応する内訳情報が表示されるので、拡大表示された贈主名とそれに対応する金品の内訳情報との照合も行うことができるという効果がある。
【００３２】
請求項３記載の金品受領ファイリングシステムによれば、請求項１又は２に記載の金品受領ファイリングシステムの奏する効果に加え、データ書込手段によって記憶装置に記憶される内訳情報が書き込まれるたび、合計算出手段によって記憶装置に記憶されている全金額の合計が算出され、合計表示手段によって合計金額が表示画面上に表示される。従って、熨斗袋の贈主名画像を取得する作業を継続しながらでも、これまでに記憶手段に記憶させた内訳情報の金額合計と、現金との照合を何時でも又は何度でも照合することができるという効果がある。
【００３３】
本発明の金品受領ファイル閲覧システムによれば、以下の効果を奏する。例えば、縮小領域に表示される贈主名画像が小さくて贈主名が判読し難いような場合には、選択手段によって縮小領域に表示される贈主名画像を選択すれば、画像拡大手段によって、その選択された贈主名画像を拡大領域に判読可能なサイズに拡大して表示できるという効果がある。
【００３４】
しかも、表示画面上には、拡大領域に表示される贈主名画像の隣側に、縮小領域及び内訳領域に表示される贈主名画像及び内訳情報が一覧表示される。よって、画像拡大手段により拡大表示される贈主名画像を、縮小領域に表示される贈主名画像の上に被せて積層表示することを防止できる。従って、贈主名画像の拡大表示中であっても、縮小領域に表示される贈主名画像及び内訳領域に表示される内訳情報を閲覧することができ、煩雑な画面切替操作も不要であるという効果がある。
【００３５】
また、記憶装置に記憶されている贈主名画像は熨斗袋の全体画像でもあるので、当該贈主画像には、贈主名のみならず、熨斗袋の用途を示す「香典」、「御祝」又は「御霊前」などの表記、及び、水引の形状、模様若しくは色彩又はこれらの組み合わせもなども併せて撮し込むことができるという効果がある。従って、記憶装置に記憶される贈主名画像を後日閲覧する場合に、熨斗袋の受領が行われた式典の種別を熨斗袋の全体観から識別することもできるという効果がある。
【発明を実施するための最良の形態】
【００３６】
以下、本発明の好ましい実施例について、添付図面を参照して説明する。図１は、本発明の金品受領ファイリングシステムの一実施例である香典帳作成システム１を構成する各種機器の外観図である。図１に示すように、香典帳作成システム１は、主に、パーソナルコンピュータ（以下「ＰＣ」という。）２と、スキャナ３と、プリンタ４とを備えている。ＰＣ２は、ディスプレイ５と、キーボード６と、マウス７とを備えている。
【００３７】
ディスプレイ５は、カーソル若しくはマウスポインタＰ、メニュー、ウィンドウ、又は文字若しくは画像などの各種データ（情報）をカラー表示する表示画面を有する表示装置である。また、キーボード６は、文字、数値、各種指示などの入力のための複数のキーを備えた入力装置である。マウス７は、各種指示の選択や実行、処理対象の選択（クリック）、マウスポインタＰの移動などを行うためのポインティングデバイス型の入力装置である。
【００３８】
スキャナ３は、熨斗袋の一種である香典袋の全体画像を光学的に撮像して、香典の贈主名が表記された面のカラー画像を取得するための汎用型の画像読取装置（撮像装置）である。このスキャナ３の上面には、香典袋がセットされる透明ガラス張りの画像読取面３ａと、その画像読取面３ａ全体に覆い被せられるカバー３ｂとが設けられている。スキャナ３の内部には画像読取面３ａの下方に画像を撮像するための撮像機構（図示せず）が設けられており、この撮像機構により画像読取面３ａ上の香典袋の画像を撮像して取得することができる。
【００３９】
また、プリンタ４は、ＰＣ２の後述するＣＰＵ１１の制御に従って、香典帳作成システム１により作成された香典帳を印刷するための印刷装置であり、上記したスキャナ３と共にＰＣ２に通信ケーブル８を通信可能に介して接続されている。
【００４０】
図２は、香典帳作成システム１の電気的構成を示すブロック図である。図２に示すように、香典帳作成システム１のＰＣ２は、当該システム１全体を制御するための演算装置であるＣＰＵ１１と、そのＣＰＵ１１により実行される基本入出力プログラムが記憶されている書換不能な不揮発性メモリであるＲＯＭ１２と、ＣＰＵ１１のワークエリアとして使用される書換可能な揮発性メモリであるＲＡＭ１３とを備えている。
【００４１】
ハードディスクドライブ（以下「ＨＤドライブ」という。）１４は、ＣＰＵ１１の制御に従ってハードディスク（以下「ＨＤ」という。）１５に対する文字情報や画像情報などの各種データファイルの読み込み及び書き込み動作を行う駆動装置である。また、ＨＤ１５は不揮発性の書換可能な磁気ディスクタイプの大容量記憶媒体である。
【００４２】
ＨＤ１５には、ＰＣ２の基本オペレーティングシステム（ＯＳ）の他、各種のアプリケーションプログラム、及び、各種のデータファイルが記憶されている。具体的には、ＨＤ１５には、各種のデータファイルを記憶するため、画像メモリ１５ａと、対応情報メモリ１５ｂと、詳細設定メモリ１５ｃと、スキャナ設定メモリ１５ｄと、印刷設定メモリ１５ｅとが設けられており、更に、香典帳作成プログラム１５ｆと、香典帳閲覧プログラム１５ｇと、データ変換プログラム１５ｈとが記憶されている。
【００４３】
画像メモリ１５ａは、香典帳作成プログラム１５ｆが起動されている場合に、スキャナ３により撮像された画像データファイル（以下単に「画像」という。）が記憶される記憶領域である。具体的に、画像メモリ１５ａに記憶される画像は、スキャナ３によって香典袋に表記される贈主名を撮像した画像（以下「贈主名画像」という。）である。ここに贈主名画像は、香典袋に表記されている香典の贈主名を撮し込むため、スキャナ３により香典袋の全体が撮像されたものである。
【００４４】
対応情報メモリ１５ｂは、贈主名画像のファイル名と、その贈主名画像に写り込んでいる香典袋に収められていた香典の金額とが対応つけて記憶される記憶領域である。ここで、図３は、対応情報メモリ１５ｂ１の概念図である。この図３に示す概念図によれば、対応情報メモリ１５ｂには、上記した贈主名画像のファイル名が書き込まれるファイル名エリア１５ｂ１（図３左側）と、そのファイル名エリア１５ｂ１に書き込まれるファイル名により示される贈主名画像に撮された香典袋に収められる香典の金額が書き込まれる金額エリア１５ｂ２（図３右側）とが設けられている。
【００４５】
対応情報メモリ１５ｂには、ファイル名エリア１５ｂ１と金額エリア１５ｂ２との組が２組以上設けられており、贈主名画像のファイル名とそれに対応する香典金額とは、互いに組を成すファイル名エリア１５ｂ１と金額エリア１５ｂ２とに書き込まれるようにされている。例えば、対応情報メモリ１５ｂには、図３の最上欄のファイル名エリア１５ｂ１にファイル名「Ｉｍａｇｅ１０１．ｊｐｇ」が記憶されており、この最上欄のファイル名エリア１５ｂ１に対応する右横の金額エリア１５ｂ２は、香典金額「５０，０００」が対応つけて記憶されている。
【００４６】
詳細設定メモリ１５ｃは、後述する詳細設定ウィンドウ４０で設定される各種情報（タイトルデータ、日時データ、特記事項データ、金額設定データ、及び、表紙要否初期データ）を記憶するための記憶領域であり、スキャナ設定メモリ１５ｄは、スキャナ３に関する各種の設定情報を記憶するための記憶領域である。例えば、このスキャナ設定メモリ１５ｄに記憶される設定情報には、図４に示すスキャナ３による撮像範囲（画像読取り範囲）Ａに関する設定情報が含まれている。
【００４７】
図４を参照して、スキャナ設定メモリ１５ｄに記憶されるスキャナ３の撮像範囲Ａについて説明する。図４は、スキャナ３の画像読取面３ａを下方から見上げた状態を示した図である。上記の通り、スキャナ３は汎用型の画像読取装置であるので、その画像読取面３ａは、図４に示すように香典袋の表書き面よりも大きな略長方形状に形成されている。このため、スキャナ設定メモリ１５ｄには、画像読取面３ａの隅位置（図４右上部）に香典袋の表面（又は裏面）と略等しい（又は若干大きな）サイズの撮像範囲Ａが設けられるように、当該撮像範囲Ａの設定情報が記憶されている。
【００４８】
このようにスキャナ設定メモリ１５ｄにスキャナ３による撮像範囲Ａを記憶することで、香典帳作成プログラム１５ｆの実行中に、スキャナ３は、撮像範囲Ａ内の画像のみを撮像するように動作される。これによって、香典袋の表面（又は裏面）と略等しいサイズの香典袋の全体像が撮し込まれた贈主名画像を取得することができる。
【００４９】
図２に戻って説明する。印刷設定メモリ１５ｅは、香典帳の印刷フォーマット並びに後述する印刷設定ウィンドウ７０により設定される香典帳の印刷条件データを設定するためのエリアである。この印刷設定メモリ１５ｅに記憶されている内容に基づいて、プリンタ４による印刷が行われる。
【００５０】
香典帳作成プログラム１５ｆは、上記したＰＣ２、スキャナ３及びプリンタ４を香典帳作成システム１の各部として機能させるためのプログラムであり、具体的には図１１から図１６のフローチャートに示す処理を行うためのものである。また、香典帳閲覧プログラム１５ｇは、主として、画像メモリ１５ａ及び対応情報メモリ１５ｂからＣＤ−ＲＷ１７へコピーされた贈主名画像及び香典金額を閲覧するためのプログラムであり、具体的には図２１及び図２２のフローチャートに示す処理を行うためのものである。
【００５１】
更に、データ変換プログラム１５は、主として、画像メモリ１５ａ及び対応情報メモリ１５ｂからＣＤ−ＲＷ１７へコピーされた贈主名画像及び香典金額を表計算データファイルに変換するためのプログラムであり、具体的には図２３のフローチャートに示す処理を行うためのものである。
【００５２】
図５は、印刷設定メモリ１５ｅに記憶されている香典帳の印刷フォーマットに基づいて印刷される香典帳の印刷例であって、図５（ａ）は香典帳の表紙頁を、図５（ｂ）は香典帳の内容掲載頁を、それぞれ図示したものである。図５（ａ）に示すように、印刷設定メモリ１５ｅに記憶されている印刷フォーマットによれば、香典帳の表紙頁の用紙には、後述する詳細設定ウィンドウ４０のタイトル入力欄４１、特記入力欄４３及び日時入力欄４２に入力される内容がこの順番に印刷される。
【００５３】
図５（ｂ）に示すように、印刷設定メモリ１５ｅに記憶されている印刷フォーマットによれば、香典帳の内容掲載頁に用紙には、その最上部左側にタイトル入力欄４１に入力された内容が、その最上部右側に頁数および日時入力欄４２に入力された日付が、これらの下方に３行３列のマトリックス状に配列された合計９個の香典袋の贈主名画像が、それぞれ印刷される。また、各香典袋の贈主名画像の左上には通し番号が、右下には各香典袋に納められていた香典金額が、それぞれ印刷され、更に、用紙の右下には、当該印刷用紙に印刷される合計９個分の香典金額の合計額（ページ小計）と、香典帳全頁に印刷される香典金額を合計した合計金額とが印刷される。
【００５４】
図２に戻って説明する。ＣＤ−ＲＯＭドライブ１６は、ＣＤ−ＲＷ１７に対してデータの書き込み及び読み出し動作を行うことが可能な駆動装置である。ＣＤ−ＲＷ１７は、ＣＤ−ＲＯＭドライブ１６に着脱可能で持ち運び可能な記憶媒体であり、データを書換可能な不揮発性の光ディスクである。また、インターフェイス（以下、「Ｉ／Ｆ」という。）１８，１９は、通信ケーブル８を介して、ＰＣ２がスキャナ３及びプリンタ４と通信データ（スキャナデータ及び印刷データを含む）の送信や各種のコマンドの送受信を行うための制御回路である。このＩ／Ｆ１８，１９には、通信ケーブル８を介してスキャナ３及びプリンタ４が接続されており、上記した各部５，６，７，１１〜１４，１６，１８，１９はバスライン１０を介して相互に各種データを送信又は受信可能に接続されている。
【００５５】
図６は、香典帳作成プログラム１５ｆの実行時にディスプレイ５に表示されるプレビューウィンドウ２０及び一覧ウィンドウ３０を示す図である。図６に示すように、プレビューウィンドウ２０及び一覧ウィンドウ３０は、互いに隣り合わせとなるように表示される。ディスプレイ５には、これらのウィンドウ２０，３０を操作するためのマウスポインタＰが同時に表示されており、このマウスポインタＰは、マウス７を操作することでディスプレイ５上を移動させることができる。そして、このマウスポインタＰの移動先にある表示欄やボタン（仮想キースイッチ）をマウス７を操作してクリックすれば、それを契機に、そのクリックされた表示欄やボタンに割り当てられた各種処理が実行されるようにＰＣ２は構成されている。
【００５６】
図６に示すように、プレビューウィンドウ２０には、初期状態において、読取実行ボタン２１と、設定ボタン２２と、プレビュー枠２３と、金額入力欄２４と、保存ボタン２５と、終了ボタン２６とが設けられている。読取実行ボタン２１は、スキャナ３による撮像範囲Ａの撮像を開始する場合にクリックされる仮想キースイッチであり、設定ボタン２２は、後述する詳細設定ウィンドウ４０を表示させる場合にクリックされる仮想キースイッチである。
【００５７】
プレビュー枠２３は、スキャナ３により撮像された撮像範囲Ａの画像を表示するための縦長長方形状の表示領域であり、このプレビュー枠２３によって、スキャナ３の撮像範囲Ａにセットされた香典袋の贈主名画像を拡大表示できる。金額入力欄２４は、プレビュー枠２３に表示される香典袋に収められていた香典の金額の入力内容を表示するための欄である。
【００５８】
保存ボタン２５は、プレビュー枠２３及び金額入力欄２４に表示される贈主名画像及び香典金額を画像メモリ１５ａ及び対応情報メモリ１５ｂに書き込む場合にクリックされる仮想キースイッチである。この保存ボタン２５は、プレビュー枠２３に贈主名画像が表示されていない場合にはクリック不能な状態となり、逆に、贈主名画像がプレビュー枠２３に表示されている場合にはクリック可能な状態となるように制御される。また、終了ボタン２６は、香典帳作成プログラム１５ｆを終了させる場合にクリックされる仮想キースイッチである。
【００５９】
図６に示すように、一覧ウィンドウ３０には、初期状態において、１５個の縮小表示枠３１と、１５個の金額表示欄３２と、合計金額表示欄３３と、ＣＤ書込ボタン３４と、印刷ボタン３５と、削除欄３６とが設けられている。１５個の縮小表示枠３１は、３行５列のマトリックス状となるように一覧ウィンドウ３０内に配列され、ディスプレイ５上においてプレビュー枠２３の右隣側に配置されている。この縮小表示枠３１は、過去に画像メモリ１５ａに記憶された贈主名画像を縮小表示させるための縦長長方形状の領域であり、プレビュー枠２３より小さく形成されている。
【００６０】
なお、画像メモリ１５ａに記憶される贈主名画像数が１５個を越える場合には、一覧ウィンドウ３０にスクロールバー（図示せず）が表示され、１６個目以降の縮小表示枠３１及びそれに対応する金額表示欄３２をスクロール表示させることができるようにされる。つまり、一覧ウィンドウ３０には、最大ｎ×５（ｎは自然数）個の香典袋の贈主名画像をスクロール操作により表示させることができるのである。
【００６１】
金額表示欄３２は、各縮小表示枠３１の下辺に併設される横長長方形状の表示領域であって、その金額表示欄３２の上方に併設される縮小表示枠３１に表示される香典袋に収められていた香典の金額を対応情報メモリ１５ｂから読み出して表示することができる。合計金額表示欄３３は、金額表示欄３２に表示されている香典金額の合計額を表示するための表示欄である。
【００６２】
ＣＤ書込ボタン３４は、画像メモリ１５ａ及び対応情報メモリ１５ｂに記憶されているデータをＣＤ−ＲＷ１７に書き込むため、ＣＤ書込確認ウィンドウ６０をディスプレイ５に表示させる場合にクリックされる仮想キースイッチである。印刷ボタン３５は、一覧ウィンドウ３０を用いて表示される全ての香典袋の贈主名画像及びそれに対応する香典金額を香典帳として印刷するための印刷設定ウィンドウ７０をディスプレイ５に表示させる場合にクリックされる仮想キースイッチである。
【００６３】
削除欄３６は、縮小表示枠３１及び金額表示欄３２に表示される贈主名画像及び香典金額を削除する場合に操作される欄であり、縮小表示枠３１に表示される画像をマウス７を操作してこの削除欄３６へドラッグ・アンド・ドロップすることで、縮小表示枠３１及びそれに対応する金額表示欄３２から贈主名画像及び香典金額を消去することができる。
【００６４】
図７は、プレビューウィンドウ２０の派生ウィンドウである詳細設定ウィンドウ４０の表示状態を示す図である。図７に示すように、詳細設定ウィンドウ４０は、プレビューウィンドウ２０及び一覧ウィンドウ３０の表示状態を保持したまま、ディスプレイ５の最前面に表示される。この詳細設定ウィンドウ４０には、タイトル入力欄４１と、日時入力欄４２と、特記入力欄４３と、金額設定欄４４と、表紙印刷選択欄４５と、設定ボタン４６と、戻るボタン４７とが設けられている。
【００６５】
タイトル入力欄４１は、香典帳の表紙に印刷されるタイトル（表題）などのタイトルデータについての入力欄であり、タイトルデータとして、例えば、故人家名と、通夜又は葬儀などの式典種別などが入力される。日時入力欄４２は、通夜又は葬儀の開始日時などの日時データを入力欄である。特記入力欄４３は、タイトル入力欄４１へ入力された式典に関する特記事項データを入力するための欄であり、例えば、故人の氏名、誕生日、享年、喪主氏名、式典会場の名称、及び、式典会場の住所などが入力される。
【００６６】
金額設定欄４４は、後述する金額選択ウィンドウ５０に表示される最大５種類の金額設定データについての入力欄であり、「１．」〜「５．」の５個の入力欄４４ａ〜４４ｅが設けられている。表紙印刷選択欄４５は、香典帳の表紙についての印刷の要否の初期値である表紙要否初期データを設定するための選択欄であり、表紙を印刷する場合にクリックされるラジオ・ボタン４５ａ（図中●）と、表紙を印刷しない場合にクリックされるラジオ・ボタン４５ｂ（図中○）とが設けられている。
【００６７】
設定ボタン４６は、詳細設定ウィンドウ４０の各欄４１〜４５に入力された各種データを詳細設定メモリ１５ｃへ書き込む場合にクリックされる仮想キースイッチである。戻るボタン４７は、詳細設定ウィンドウ４０をディスプレイ５から消去させる場合、又は、詳細設定ウィンドウ４０の各欄４１〜４５に入力された内容を破棄して、詳細設定メモリ１５ｃに記憶される各種データを保持する場合にクリックされる仮想キースイッチである。
【００６８】
図８は、金額表示ボタン２７と金額選択ウィンドウ５０との表示状態を示す図である。図８に示すように、金額表示ボタン２７は、プレビュー枠２３に画像が表示されてから保存ボタン２５がクリックされるまで、プレビュー枠２３の下側における金額入力欄２４下方に表示される仮想キースイッチである。この金額表示ボタン２７は、ディスプレイ５から一旦消去された金額選択ウィンドウ５０を再表示させる場合にクリックされるものである。
【００６９】
金額選択ウィンドウ５０は、プレビューウィンドウ２０の派生ウィンドウであって、プレビューウィンドウ２０の保存ボタン２５の上方に併設されるようにディスプレイ５の最前面に表示される。この金額選択ウィンドウ５０は、プレビュー枠２３に画像が表示された場合に表示されるように設定されており、金額選択欄５１と、決定ボタン５２とを備えている。金額選択欄５１には、上記した詳細設定ウィンドウ４０の金額設定欄４４に入力された金額の項目が上から順番に複数段状に表示されている。そして、金額選択欄５１の最下段には「その他」の項目が設けられている。
【００７０】
決定ボタン５２は、金額選択欄５１の下方に設けられている。決定ボタン５２は、金額選択欄５１の中のいずれか１つの項目を選択した場合にクリックされる仮想キースイッチである。この決定ボタン５２がクリックされた場合に、金額選択欄５１の中からいずれかの金額の項目が選択されていれば、その選択された金額が空欄だった金額入力欄２４に表示される。
【００７１】
また一方で、金額選択欄５１の中から「その他」の項目が選択された状態で、決定ボタン５２がクリックされると、金額入力欄２４は空欄のままで、金額入力欄２４への金額入力を促すためにカーソルが表示される。このとき、金額入力欄２４へは、使用者がキーボード６のキースイッチを押下することで自由な数値を入力することが可能となる。よって、金額選択欄５１の中に入力を希望する金額が存在しない場合には、その入力希望の金額を金額入力欄２４へ直接入力することができる。
【００７２】
なお、決定ボタン５２のクリック後、金額選択ウィンドウ５０はディスプレイ５上から消去されるが、金額表示ボタン２７をクリックすれば、金額選択ウィンドウ５０を金額表示ボタン２７の上方に再表示させることができる。
【００７３】
図９は、ＣＤ書込確認ウィンドウ６０の表示状態を示す図である。図９に示すように、ＣＤ書込確認ウィンドウ６０は、ＣＤ書込ボタン３４がクリックされた場合にプレビューウィンドウ２０及び一覧ウィンドウ３０が表示されているディスプレイ５の最前面に表示されるウィンドウであり、一覧ウィンドウ３０の派生ウィンドウである。このＣＤ書込確認ウィンドウ６０には、ドライブ選択欄６１と、書込開始ボタン６２と、キャンセルボタン６３とが設けられている。
【００７４】
ドライブ選択欄６１は、ＣＤ−ＲＯＭドライブ１６に割り当てられているドライブ名を選択するための欄である。書込開始ボタン６２は、画像メモリ１５ａ及び対応情報メモリ１５ｂに記憶されているデータをＣＤ−ＲＷ１７に書き込む処理を開始する場合にクリックされる仮想キースイッチである。また、キャンセルボタン６３は、ＣＤ−ＲＷ１７へのデータ書込を中止する場合にクリックされる仮想キースイッチである。
【００７５】
図１０は、印刷設定ウィンドウ７０の表示状態を示す図である。図１０に示すように、印刷設定ウィンドウ７０は、印刷ボタン３５がクリックされた場合に、プレビューウィンドウ２０及び一覧ウィンドウ３０を表示しているディスプレイ５の最前面に表示されるウィンドウであり、一覧ウィンドウ３０の派生ウィンドウである。この印刷設定ウィンドウ７０には、選択プリンタ名欄７１と、表紙印刷選択欄７２と、印刷ページ範囲設定欄７３と、印刷開始ボタン７４と、キャンセルボタン７５とが設けられている。
【００７６】
選択プリンタ名欄７１は、香典帳の印刷に使用されるプリンタ名を選択する機能とその選択されたプリンタ名とを表示する機能とを有する表示欄である。表紙印刷選択欄７２は、上記した詳細設定ウィンドウ４０の表紙印刷選択欄４５と同じ機能を有する２つのラジオ・ボタン７２ａ，７２ｂを備えており、表紙印刷選択欄４５による設定内容の確認又は変更のために印刷設定ウィンドウ７０に設けられている。そして、初期状態の印刷設定ウィンドウ７０では、表紙印刷選択欄４５における選択結果が表紙印刷選択欄７２の表示内容に反映される。
【００７７】
印刷ページ範囲設定欄７３は、香典帳の印刷ページ数を設定するためのものであり、「全て」のラジオ・ボタン７３ａを選択すれば香典帳の全ページを、「ページ指定」のラジオ・ボタン７３ｂを選択すれば入力欄７３ｃ，７３ｄに入力された範囲のページを印刷できる。印刷開始ボタン７４は、印刷設定ウィンドウ７０の各欄７１〜７３に入力された内容に基づいた印刷を開始する場合にクリックされる仮想キースイッチである。
【００７８】
印刷開始ボタン７４がクリックされると、プリンタ４による印刷が開始される。また、キャンセルボタン７５は、印刷設定ウィンドウ７０をディスプレイ５から消去させる場合にクリックされる仮想キースイッチである。
【００７９】
次に、図１１から図１６までのフローチャートを参照して、上記のように構成された香典帳作成システム１の動作について説明する。なお、図１１から図１６のフローチャートに示す処理は、香典帳作成プログラム１５ｆの一部として実行される処理である。
【００８０】
図１１は、香典帳作成システム１のメイン処理を示したフローチャートである。このメイン処理は、ＰＣ２の使用者による所定の操作、例えば、ディスプレイ５に表示される香典帳作成プログラム１５ｆの起動アイコンがクリックされて、香典帳作成プログラム１５ｆが起動された場合に実行される。
【００８１】
図１１に示すように、このメイン処理では、まず、プレビューウィンドウ２０及び一覧ウィンドウ３０を左右に並んだ状態でディスプレイ５に表示してから（Ｓ１）、対応情報メモリ１５ｂのファイル名エリア１５ｂ１をチェックし（Ｓ２）、そこにファイル名が１つも記憶されていなければ（Ｓ２：Ｎｏ）、イベントチェック処理を実行する（Ｓ６）。そして、このイベントチェック処理の実行後は、プレビューウィンドウ２０及び一覧ウィンドウ３０並びにこれらの派生ウィンドウのうち表示中のもの全てをディスプレイ５から消去して（Ｓ７）、このメイン処理を終了する。
【００８２】
一方、対応情報メモリ１５ｂのファイル名エリア１５ｂ１にファイル名が記憶されている場合には（Ｓ２：Ｙｅｓ）、ファイル名エリア１５ｂ１に記憶されているファイル名を順番に参照して、その各ファイル名に対応する贈主名画像を画像メモリ１５ａから順番に読み出して、一覧ウィンドウ３０の各縮小表示枠３１に順番に縮小表示する（Ｓ３）。そして、Ｓ３で参照したファイル名に対応つけて金額エリア１５ｂ２に記憶されている金額も順番に読み出して、各金額表示欄３２に順番に表示する（Ｓ４）。
【００８３】
そして、対応情報メモリ１５ｂに記憶されている全ての金額が各金額表示欄３２に表示されると、金額表示欄３２に表示中の全ての金額を合計して、その値を合計金額表示欄３３に表示する（Ｓ５）。
【００８４】
図１２は、イベントチェック処理を示したフローチャートである。このイベントチェック処理は、香典帳作成プログラム１５ｆの起動状態において、キーボード６又はマウス７による入力操作を検出するための処理である。図１２に示すように、イベントチェック処理では、プレビューウィンドウ２０、一覧ウィンドウ３０及び金額選択ウィンドウ５０に設けられる設定ボタン２２、読取実行ボタン２１、金額選択欄５１、決定ボタン５２、金額表示ボタン２７、保存ボタン２５、ＣＤ書込ボタン３４及び印刷ボタン３５がクリックされたか否かのチェック（Ｓ１１〜Ｓ１８）、ドラッグ・アンド・ドロップ操作がされたか否かのチェック（Ｓ１９）、並びに、終了ボタン２６がクリックされたか否かのチェック（Ｓ２０）がなされ、これらの各操作がなければ（Ｓ１１〜Ｓ２０：Ｎｏ）、処理をＳ１１へ移行して、Ｓ１１〜Ｓ２０までのチェックを繰り返す。
【００８５】
そして、設定ボタン２２がクリックされると（Ｓ１１：Ｙｅｓ）、詳細設定処理を実行する（Ｓ３０）。読取実行ボタン２１がクリックされると（Ｓ１２：Ｙｅｓ）、画像読取処理を実行する（Ｓ４０）。金額選択ウィンドウ５０が表示されている場合に、金額選択欄５１内がクリックされると（Ｓ１３：Ｙｅｓ）、金額選択欄５１内でクリックされた項目の背景色をそれ以外の項目のとは異なる色に反転する（Ｓ２１）。
【００８６】
そして、金額選択ウィンドウ５０が表示されている場合に決定ボタン５２がクリックされると（Ｓ１４：Ｙｅｓ）、金額選択設定処理を実行する（Ｓ５０）。金額表示ボタン２７の表示中にこれがクリックされると（Ｓ１５：Ｙｅｓ）、金額選択ウィンドウ５０をディスプレイ５の最前面であって金額表示ボタン２７の上方に表示する（Ｓ２２）。保存ボタン２５がクリック可能状態にある場合にこれがクリックされると（Ｓ１６：Ｙｅｓ）、データ保存処理を実行する（Ｓ６０）。
【００８７】
ＣＤ書込ボタン３４がクリックされると（Ｓ１７：Ｙｅｓ）、ＣＤ書込処理を実行する（Ｓ７０）。このＣＤ書込処理では、上述したＣＤ書込確認ウィンドウ６０がディスプレイ５の最前面に表示され、書込開始ボタン６２又はキャンセルボタン６３のいずれかがクリックされるまで待機する。この待機期間中に、ＣＤ書込確認ウィンドウ６０のドライブ選択欄６１を操作して、ＣＤ−ＲＯＭドライブ１６に割り当てられているドライブ名を選択することができる。
【００８８】
そして、書込開始ボタン６２がクリックされれば、画像メモリ１５ａに記憶されている全ての贈主名画像のデータファイル、対応情報メモリ１５ｂに記憶されている全てのファイル名及び金額を記録したデータファイル、詳細設定メモリ１５ｃに記憶されている各種データ（タイトルデータ、日時データ、特記事項データ及び表紙要否初期データ）、並びに、印刷設定メモリ１５ｅに記憶されている香典帳の印刷フォーマット（図５参照）及び印刷条件データを、ＣＤ−ＲＷ１７にコピーする。しかも、このＣＤ−ＲＷ１７には、ＨＤ１５に記憶されいてる香典帳閲覧プログラム１５ｇ及びデータ変換プログラム１５ｈもコピーされる。一方、キャンセルボタン６３がクリックされれば、即座にこのＣＤ書込処理を終了する。
【００８９】
一方、印刷ボタン３５がクリックされると（Ｓ１８：Ｙｅｓ）、印刷処理を実行する（Ｓ８０）。この印刷処理では、詳細設定メモリ１５ｃに記憶されている表紙要否初期データ、及び、印刷設定メモリ１５ｅに記憶されている印刷条件データが読み出され、これらの内容が反映された印刷設定ウィンドウ７０がディスプレイ５の最前面に表示される。印刷設定ウィンドウ７０の表示後は、印刷開始ボタン７４又はキャンセルボタン７５がクリックされるまで待機する。この待機期間中に、印刷設定ウィンドウ７０の各欄７１〜７３を操作して、これらの入力内容を変更することができる。
【００９０】
そして、印刷開始ボタン７４がクリックされると、印刷設定ウィンドウ７０の内容及び印刷設定メモリ１５ｅに記憶されている印刷フォーマット（図５参照）に基づいて、香典帳の表紙頁と内容掲載頁がプリンタ４によって印刷され、香典帳の全頁の印刷が完了すると、この印刷処理を終了する。また一方で、キャンセルボタン７５がクリックされると、この印刷処理（Ｓ８０）を即座に終了する。
【００９１】
更に、ドラッグ・アンド・ドロップ操作が発生すると（Ｓ１９：Ｙｅｓ）、修正・削除処理を実行し（Ｓ９０）、終了ボタン２６がクリックされると（Ｓ２０：Ｙｅｓ）、このイベントチェック処理を終了して、メイン処理のＳ７へ移行する。
【００９２】
図１３は、詳細設定処理を示したフローチャートである。この詳細設定処理は、詳細設定ボタン２２がクリックされた場合に実行される処理である。図１３に示すように、詳細設定処理では、まず、詳細設定ウィンドウ４０をディスプレイ５の最前面に表示し（Ｓ３１）、詳細設定ウィンドウ４０の設定ボタン４６又は戻るボタン４７がクリックされるまで待機する（Ｓ３２，Ｓ３３：Ｎｏ）。この待機中に各欄４１〜４５への入力操作が行われる。
【００９３】
そして、設定ボタン４６がクリックされると（Ｓ３２：Ｙｅｓ）、詳細設定ウィンドウ４０の各欄４１〜４５の表示内容を詳細設定メモリ１５ｃへ書き込み（Ｓ３４）、その詳細設定ウィンドウ４０をディスプレイ５から消去して（Ｓ３５）、この詳細設定処理を終了する。一方、設定ボタン４６がクリックされずに戻るボタン４７がクリックされても（Ｓ３２：Ｎｏ，Ｓ３３：Ｙｅｓ）、この詳細設定処理は終了される。
【００９４】
図１４は、画像読取処理を示したフローチャートである。この画像読取処理は、プレビューウィンドウ２０の読取実行ボタン２１がクリックされた場合に、スキャナ３の撮像範囲Ａを撮像して香典袋の贈主名画像を取得するための処理である。なお、香典袋の贈主名画像を取得する場合には、まず、画像読取処理の実行前、即ち、読取実行ボタン２１のクリック前に、スキャナ３の画像読取面３ａ上の撮像範囲Ａに香典袋をセットする。そして、このとき、香典袋の贈主名の表記部分を画像読取面３ａに向けて、その上からカバー３ｂを覆い被せておく必要がある。
【００９５】
図１４に示すように、画像読取処理では、まず、スキャナ処理を実行して（Ｓ４１）、スキャナ３により撮像範囲Ａ内に存在する香典袋の全体画像を撮像して、贈主名が撮し込まれた贈主名画像のスキャナデータを取得する。この贈主名画像の取得後は、その贈主名画像をプレビューウィンドウ２０のプレビュー枠２３に表示する（Ｓ４２）。そして、保存ボタン２５をクリック不能な状態からクリック可能な状態に切り替えて、金額表示ボタン２７をプレビューウィンドウ２０の所定位置に表示する（Ｓ４３）。それから、金額選択ウィンドウ５０をディスプレイ５の最前面であって保存ボタン２５の上方に表示して（Ｓ４４）、この画像読取処理を終了する。
【００９６】
図１５は、金額選択設定処理を示したフローチャートである。この金額選択設定処理は、上記した画像読取処理でディスプレイ５に表示された金額選択ウィンドウ５０の決定ボタン５２がクリックされた場合に実行される処理である。図１５に示すように、金額選択設定処理では、まず、金額選択欄５１の中から背景色が反転表示されている項目をチェックする（Ｓ５１）。
【００９７】
このとき、金額選択欄５１の「５，０００」、「１０，０００」、「３０，０００」、「５０，０００」又は「７０，００００」のうちいずれかの金額の項目の背景色が反転されている場合には（Ｓ５１：「その他以外」）、その反転表示されている金額を金額入力欄２４に表示し（Ｓ５２）、金額選択ウィンドウ５０をディスプレイ５から消去して（Ｓ５３）、この金額選択設定処理を終了する。
【００９８】
一方、金額選択欄５１内の「その他」なる項目の背景色が反転されている場合（Ｓ５１：「その他」）には、金額入力欄２４にカーソルを点滅表示させてから（Ｓ５４）、金額選択ウィンドウ５０をディスプレイ５から消去して（Ｓ５３）、この金額選択設定処理を終了する。更に、金額選択欄５１のいずれの項目についても背景色が反転表示されていない場合には（Ｓ５１：「なし」）、この金額選択設定処理（Ｓ５０）を即座に終了する。
【００９９】
図１６は、データ保存処理を示したフローチャートである。このデータ保存処理は、上記した保存ボタン２５がクリックされた場合に、プレビュー枠２３及び金額入力欄２４に表示される贈主名画像及び金額のデータをＨＤ１５へ記憶するための処理である。図１６に示すように、データ保存処理では、まず、金額入力欄２４に入力数値があるか否かを判断して（Ｓ６１）、入力された数値があれば（Ｓ６１：Ｙｅｓ）、プレビュー枠２３に現在表示されている贈主名画像を、画像メモリ１５ａへ書き込む（Ｓ６２）。またこのとき、画像メモリ１５ａに書き込まれる贈主名画像には所定のファイル名が付与される。
【０１００】
なお、Ｓ６２を実行する際に既に別の贈主名画像が画像メモリ１５ａに記憶されている場合、当該別の贈主名画像とは異なるファイル名が、今回画像メモリ１５ａへ書き込まれる贈主名画像には付与される。
【０１０１】
Ｓ６２による書込後は、そのＳ６２によってプレビュー枠２３に表示されている贈主名画像に付与されたファイル名を、対応情報メモリ１５ｂのファイル名エリア１５ｂ１に書き加え（Ｓ６３）、そのファイル名が書き込まれたファイル名エリア１５ｂ１に対応する金額エリア１５ｂ２に、金額入力欄２４に表示されている金額を書き加える（Ｓ６４）。以上の結果、スキャナ３により取得された香典袋の贈主名画像とその香典袋に収められていた香典金額とを互いに対応つけて画像メモリ１５ａ及び対応情報メモリ１５ｂに記憶させることができる。
【０１０２】
また、Ｓ６４による書込後は、今回のＳ６３の実行でファイル名エリア１５ｂ１に書き込まれたファイル名を参照して、そのファイル名が付与されている贈主名画像を画像メモリ１５ａから読み出して、その読み出した贈主名画像を、一覧ウィンドウ３０内で空欄となっている縮小表示枠３１の中で先頭位置にあるものに縮小表示する（Ｓ６５）。また、この縮小表示（Ｓ６５）により贈主名画像が縮小表示された縮小表示枠３１に併設される金額表示欄３２には、Ｓ６４で金額エリア１５ｂ２に書き込んだ金額を金額エリア１５ｂ２から読み出して表示する（Ｓ６６）。
【０１０３】
更に、一覧ウィンドウ３０の各金額表示欄３２に表示されている金額を合計して、その値を合計金額表示欄３３に表示する（Ｓ６７）。そして、この表示（Ｓ６７）後は、プレビュー枠２３及び金額入力欄２４に表示中の贈主名画像及び香典金額を消去し、プレビューウィンドウ２０から金額表示ボタン２７自体を消去し、保存ボタン２５をクリック不能な状態にして（Ｓ６８）、このデータ保存処理を終了する。
【０１０４】
一方、金額入力欄２４に金額の数値が未入力の場合には（Ｓ６１：Ｎｏ）、金額入力欄２４に数字の「０」を表示して（Ｓ６９）、処理をＳ６２へ移行する。
【０１０５】
図１７は、修正・削除処理を示したフローチャートである。この修正・削除処理（Ｓ９０）は、縮小表示枠３１に表示されるいずれかの贈主名画像がドラッグ・アンド・ドロップされた場合に実行される処理である。図１７に示すように、修正・削除処理では、まず、縮小表示枠３１に表示されている贈主名画像のドロップ先がプレビュー枠２３であるか否かが判断される（Ｓ９１）。
【０１０６】
そして、画像のドロップ先がプレビュー枠２３ならば（Ｓ９１：Ｙｅｓ）、ドラッグ元の縮小表示欄３１にて表示中の贈主名画像に同じ画像を、画像メモリ１５ａから読み出してプレビュー枠２３内に拡大表示する（Ｓ９２）。更に、そのプレビュー枠２３に表示中の贈主名画像のファイル名に対応つけて対応情報メモリ１５ｂの金額エリア１５ｂ２に記憶されている金額を、その金額エリア１５ｂ２から読み出して金額入力欄２４に表示して（Ｓ９３）、この修正・削除処理を終了する。
【０１０７】
図１２に戻って説明する。修正・削除処理（Ｓ９０）の終了後は、処理がイベントチェック処理（Ｓ６）中の待機処理へ移行するので（Ｓ１１〜Ｓ２０：Ｎｏ）、この待機中に、金額入力欄２４に所望の金額をキーボード５から入力し直したり、或いは、金額表示ボタン２７をクリックして（Ｓ１５：Ｙｅｓ）金額選択ウィンドウ５０を再表示させて（Ｓ２２）、金額選択欄５１から該当する金額の項目を選択して（Ｓ１３：Ｙｅｓ，Ｓ２１）、決定ボタン５２をクリックして（Ｓ１４：Ｙｅｓ）、金額選択設定処理（Ｓ５０）を実行させて、金額入力欄２４内の香典金額を修正することができる。
【０１０８】
この金額入力欄２４に入力される香典金額の修正後、保存ボタン２５をクリックすれば（Ｓ１６：Ｙｅｓ）、金額入力欄２４に表示されている修正後の香典金額が、対応情報メモリ１５ｂの金額エリア１５ｂ２へ書き込まれる。このとき、金額入力欄２４に表示されている修正後の香典金額は、プレビュー枠２３に表示中の贈主名画像のファイル名と同一のファイル名が記憶されているファイル名エリア１５ｂ１に対応する金額エリア１５ｂ２に上書きされる。
【０１０９】
この結果、プレビュー枠２３にドロップされた画像のドラッグ元である縮小表示枠３１に表示されていた画像であって、修正・削除処理（Ｓ９０）のプレビュー枠２３に現在表示中の香典袋に収められていた香典金額について、対応情報メモリ１５ｂの記憶内容を修正することができる。
【０１１０】
図１７に戻って説明する。縮小表示枠３１に表示中の画像についてドラッグ・アンド・ドロップ処理（操作）が発生した場合に（Ｓ１９：Ｙｅｓ）、その画像のドロップ先が削除欄３６である場合には（Ｓ９１：Ｎｏ，Ｓ９４：Ｙｅｓ）、ドラッグ元の縮小表示欄３１及びそれに併設される金額表示欄３２から、それらに表示中の贈主名画像及び香典金額を消去する（Ｓ９５）。
【０１１１】
そして、Ｓ９５で消去される贈主名画像、そのファイル名及びそれに対応する香典金額のデータを、画像メモリ１５ａ及び対応情報メモリ１５ｂから消去して（Ｓ９６）、更に、金額表示欄３２に表示されている全ての香典金額の合計を再計算して合計金額表示欄３３に表示して（Ｓ９７）、この修正・削除処理を終了する。一方、画像のドロップ先がプレビュー枠２３及び削除欄３６のいずれでもない場合には（Ｓ９１，Ｓ９４：Ｎｏ）、即座にこの修正・削除処理を終了して、処理をイベントチェック処理のＳ２０へ移行する。
【０１１２】
次に、図１８から図２３を参照して、ＣＤ書込処理（Ｓ７０）により各種データ及びプログラムが記録されたＣＤ−ＲＷ１７について説明する。以下、上記した各構成と重複する部分については同一の符号を付して、その説明を省略し、異なる部分についてのみ説明することとする。図１８は、上記したＣＤ書込処理（Ｓ７０）によって各種データがコピーされたＣＤ−ＲＷ１７の内部構成を示す概念図である。
【０１１３】
図１８に示すように、ＣＤ−ＲＷ１７には、画像メモリ１７ａと、対応情報メモリ１７ｂと、詳細設定メモリ１７ｃと、印刷設定メモリ１７ｄとが設けられ、更に、香典帳閲覧プログラム１５ｇと、データ変換プログラム１５ｈとが記憶されている。画像メモリ１７ａは、ＨＤ１５の画像メモリ１５ａに記憶されている贈主名画像がコピーされるメモリである。
【０１１４】
対応情報メモリ１７ｂは、ＨＤ１５の対応情報メモリ１５ｂに記憶されているファイル名及び香典金額のデータがコピーされるメモリである。この対応情報メモリ１７ｂにはフィル名エリア及び金額エリア（図示せず）が設けられている。なお、これらの対応情報メモリ１７ｂにおける各エリアは、上記したＨＤ１５の対応情報メモリ１５ｂにおけるファイル名エリア１５ｂ１及び金額エリア１５ｂ２と同様の機能を有しているので、その説明を省略する。
【０１１５】
詳細設定メモリ１７ｃは、ＨＤ１５の詳細設定メモリ１５ｃに記憶されているタイトルデータ、日時データ、特記事項データ及び表紙要否初期データがコピーされるメモリであり、印刷設定メモリ１７ｄは、ＨＤ１５の印刷設定メモリ１５ｅに記憶されている香典帳の印刷フォーマット（図５参照）及び印刷条件データをコピーするためのメモリである。
【０１１６】
ＣＤ−ＲＷ１７にコピーされている香典閲覧プログラム１５ｇは、このプログラム１５ｇが起動されるＰＣ（ＰＣ２を含む。以下同じ。）を、画像メモリ１７ａ及び対応情報メモリ１７ｂに記憶されるデータに基づく香典帳を閲覧するためのシステムとして機能させるプログラムである。また、ＣＤ−ＲＷ１７にコピーされているデータ変換プログラム１５ｈは、このプログラム１５ｈが起動されるＰＣを、画像メモリ１７ａ及び対応情報メモリ１７ｂに記憶されるデータを表計算データファイルに変換するためのシステムとして機能させるプログラムである。
【０１１７】
図１９は、香典帳閲覧プログラム１５ｇの実行時にディスプレイ（ディスプレイ５を含む。以下同じ。）に表示される拡大表示ウィンドウ１００及び一覧ウィンドウ１１０を示す図である。図１９に示すように、拡大表示ウィンドウ１００及び一覧ウィンドウ１１０は、互いに隣り合わせとなるようにディスプレイに表示される。拡大表示ウィンドウ１００には拡大表示枠１０１が設けられており、この拡大表示枠１０１は、一覧ウィンドウ１０１に表示される縮小画像を拡大表示させるための表示領域である。
【０１１８】
一覧ウィンドウ１１０には、１５個の縮小表示枠３１と、１５個の金額表示欄３２と、合計金額表示欄３３と、設定ボタン１１４と、データ変換ボタン１１５と、印刷ボタン１１６と、終了ボタン１１７とが設けられている。１５個の縮小表示枠３１は、ＣＤ−ＲＷ１７の画像メモリ１７ａに記憶されている贈主名画像を縮小表示させるための縦長長方形状の領域であり、上記した拡大表示枠１０１より小さく形成されている。金額表示欄３２は、その金額表示欄３２の上方に併設される縮小表示枠３１に表示される香典袋に収められていた香典の金額をＣＤ−ＲＷ１７の対応情報メモリ１７ｂから読み出して表示する領域である。
【０１１９】
設定ボタン１１４は、後述する詳細設定ウィンドウ１２０を表示させる場合にクリックされる仮想キースイッチである。データ変換ボタン１１５は、データ変換プログラム１５ｈを起動させる場合にクリックされる仮想キースイッチである。印刷ボタン１１６は、上記した印刷ボタン３５と同じ機能を有する仮想キースイッチであり、一覧ウィンドウ１１０を用いて表示される全ての香典袋の贈主名画像及びそれに対応する香典金額を香典帳として印刷するための印刷設定ウィンドウ７０をディスプレイに表示させる場合にクリックされる。終了ボタン１１７は、香典帳閲覧プログラム１５ｇを終了させる場合にクリックされる仮想キースイッチである。
【０１２０】
図２０（ａ）は、詳細設定ウィンドウ１２０の表示状態を示す図であり、図２０（ｂ）は、データ変換設定ウィンドウ１３０の表示状態を示す図である。なお、ウィンドウ１２０，１３０は、いずれも一覧ウィンドウ１１０の派生ウィンドウであって、図２０では図示が省略されいているウィンドウ１２０，１３０の表示されているディスプレイの最前面に表示されるものである。
【０１２１】
図２０（ａ）に示すように、詳細設定ウィンドウ１２０には、タイトル入力欄４１と、日時入力欄４２と、特記入力欄４３と、設定ボタン４６と、戻るボタン４７とが設けられている。これらの各部４１〜４３，４６，４７は、上述した詳細設定ウィンドウ４０のものと同一の機能を有するものであり、その説明は省略する。
【０１２２】
図２０（ｂ）に示すように、データ変換ウィンドウ１３０には、データ変換後の表計算データファイルの保存（書込）先を選択するためのドライブ選択欄１３１と、その表計算データファイルのファイル名を設定するためのファイル名入力欄１３２と、データ変換後のファイル形式を選択するためのファイル形式選択欄１３３と、データ変換プログラム１５ｈによるデータ変換を開始する場合にクリックされる仮想キースイッチである保存ボタン１３４と、データ変換を中止する場合にクリックされる仮想キースイッチであるキャンセルボタン１３５とが設けられている。
【０１２３】
次に、図２１から図２３までのフローチャートを参照して、上記のように構成されたＣＤ−ＲＷ１７を読取可能なＣＤ−ＲＯＭドライブ（ＰＣ２のＣＤ−ＲＯＭドライブ１６を含む。以下同じ。）を備えたＰＣにて、当該ＣＤ−ＲＷ１７に記憶される香典帳閲覧プログラム１５ｇを実行させた場合におけるＰＣ（金品受領ファイル閲覧システム）の動作について説明する。なお、図２１及び図２２のフローチャートに示す処理は香典帳閲覧プログラム１５ｇの一部として、図２３のフローチャートに示す処理はデータ変換プログラム１５ｈの一部として実行される処理である。
【０１２４】
図２１は、香典閲覧プログラム１５ｇが起動することで香典閲覧システムとして機能するＰＣで実行されるメイン処理を示したフローチャートである。このメイン処理は、例えば、ＣＤ−ＲＷ１７がＰＣのＣＤ−ＲＯＭドライブに装着され、このＣＤ−ＲＷ１７に記憶されている香典閲覧プログラム１５ｇが起動されることで開始される。香典閲覧プログラム１５ｇは、例えば、ＰＣの使用者によって、ディスプレイに表示される香典帳閲覧プログラム１５ｇの起動アイコンがクリックされることで起動される。
【０１２５】
図２１に示すように、このメイン処理では、まず、拡大表示ウィンドウ１００及び一覧ウィンドウ１１０を左右に並んだ状態でディスプレイに表示してから（Ｓ１０１）、対応情報メモリ１７ｂのファイル名エリアをチェックし（Ｓ１０２）、そこにファイル名が１つも記憶されていなければ（Ｓ１０２：Ｎｏ）、イベントチェック処理を実行する（Ｓ１０６）。そして、このイベントチェック処理の実行後は、拡大表示ウィンドウ１００及び一覧ウィンドウ１１０並びにこれらの派生ウィンドウのうち表示中のもの全てをディスプレイから消去して（Ｓ１０７）、このメイン処理を終了する。
【０１２６】
一方、対応情報メモリ１７ｂのファイル名エリアにファイル名が記憶されている場合には（Ｓ１０２：Ｙｅｓ）、そのファイル名エリアに記憶されているファイル名を順番に参照して、その各ファイル名に対応する贈主名画像を画像メモリ１７ａから順番に読み出して、一覧ウィンドウ１１０の各縮小表示枠３１に順番に縮小表示する（Ｓ１０３）。そして、Ｓ１０３で参照したファイル名に対応つけて対応情報メモリ１７ｂの金額エリアに記憶されている金額も順番に読み出して、各金額表示欄３２に順番に表示する（Ｓ１０４）。また、金額表示欄３２に表示中の全ての金額を合計して、その値を合計金額表示欄３３に表示する（Ｓ１０５）。
【０１２７】
図２２は、イベントチェック処理を示したフローチャートである。このイベントチェック処理は、香典帳閲覧プログラム１５ｇの起動状態において、キーボード（ＰＣ２のキーボード６を含む。以下同じ。）又はマウス（ＰＣ２のマウス７を含む。以下同じ。）による入力操作を検出するための処理である。図２２に示すように、イベントチェック処理では、一覧ウィンドウ１１０に設けられる各縮小表示枠３１のいずれか、設定ボタン１１４、データ変換ボタン１１５、印刷ボタン１１６、又は、終了ボタン１１７がクリックされたか否かのチェックがなされ（Ｓ１１１〜Ｓ１１５）、これらのクリックがなければ（Ｓ１１１〜Ｓ１１５：Ｎｏ）、処理をＳ１１１へ移行して、Ｓ１１１〜Ｓ１１５までのチェックを繰り返す。
【０１２８】
そして、設定ボタン１１４がクリックされると（Ｓ１１１：Ｙｅｓ）、上記した図１３のフローチャートに示す詳細設定処理を実行する（Ｓ３０）。また、データ変換ボタン１１５がクリックされると（Ｓ１１２：Ｙｅｓ）、データ変換処理を実行する（Ｓ１２０）。また、印刷ボタン１１６がクリックされると（Ｓ１１３：Ｙｅｓ）、上記した印刷処理を実行する（Ｓ８０）。そして、一覧ウィンドウ１１０内の縮小表枠３１のうちいずれかがクリックされると（Ｓ１１４：Ｙｅｓ）、クリックされた縮小表示枠３１に表示中の画像を、画像メモリ１７ａから読み出して拡大表示枠１０１に拡大表示する（Ｓ１１６）。終了ボタン１１７がクリックされると（Ｓ１１５：Ｙｅｓ）、このイベントチェック処理を終了して、メイン処理のＳ１０７へ移行する。
【０１２９】
図２３は、データ変換処理を示したフローチャートである。このデータ変換処理は、上記したデータ変換ボタン１１５がクリックされた場合に、画像メモリ１７ａ及び対応情報メモリ１７ｂに記憶されているデータを表計算データファイルに変換するための処理である。そして、このデータ変換処理をＰＣで実行する前提として、データ変換後の表計算データファイルを編集可能な表計算プログラムがＰＣの記憶媒体（例えばＨＤなど）に予め記憶されている必要がある。
【０１３０】
図２３に示すように、データ変換処理では、まず、データ変換設定ウィンドウ１３０をディスプレイの最前面であってデータ変換ボタン１１５の上方に表示する（Ｓ１２１）。その後は、キャンセルボタン１３５又は保存ボタン１３４のいずれかがクリックされるまで処理を待機し（Ｓ１２２，Ｓ１２３：Ｎｏ）、この待機期間中に、データ変換設定ウィンドウ１３０を操作して、データ変換後の表計算データファイルの保存先のドライブ名（フォルダー名を含む）をドライブ選択欄１３１で選択したり、データ変換後の表計算データファイルのファイル名をファイル名入力欄１３２へ入力したり、その表計算データファイルのファイル形式をファイル形式選択欄１３３で選択したり、することができる。
【０１３１】
そして、保存ボタン１３４がクリックされれば（Ｓ１２２：Ｎｏ，Ｓ１２３：Ｙｅｓ）、画像メモリ１７ａに記憶されている全ての贈主名画像のデータファイル、及び、対応情報メモリ１７ｂに記憶されている全てのファイル名及び金額を記録したデータファイルを、画像メモリ１７ａ及び対応情報メモリ１７ｂから読み出して、ファイル形式選択欄１３３で選択されたファイル形式に対応した表計算データファイルに変換する（Ｓ１２４）。
【０１３２】
そして、この変換後の表計算データファイルを、ファイル名入力欄１３２へ入力されたファイル名で、ドライブ選択欄１３１で選択されたドライブ（記憶領域）へ書き込んで（Ｓ１２５）、それから、ディスプレイからデータ変換設定ウィンドウ１３０を消去して（Ｓ１２６）、このデータ変換処理を終了する。一方、保存ボタン１３４がクリックされずにキャンセルボタン１３５がクリックされる場合には（Ｓ１２２：Ｙｅｓ，Ｓ１２３：Ｎｏ）、このデータ変換処理が終了される。
【０１３３】
以上説明したように、上記したＣＤ書込処理（Ｓ７０）により作成されたＣＤ−ＲＷ１７によれば、ＣＤ−ＲＯＭドライブを有するＰＣに装着して、そのＰＣ上でＣＤ−ＲＷ１７に記憶されている香典帳閲覧プログラム１５ｇを起動することで、そのＣＤ−ＲＷ１７に記憶されている香典袋の贈主名画像及びその香典袋に収められていた香典金額、並びに香典金額の合計額をＰＣのディスプレイ上で閲覧することができる。
【０１３４】
従って、例えば、このＣＤ−ＲＷ１７さえ喪主や遺族に渡せば、葬儀会場で使用されている香典作成システム１と同等のシステムがなくても、ＣＤ−ＲＯＭドライブを有するＰＣさえ自宅にあれば、香典帳作成システム１で作成された電子情報化された香典帳をＰＣを用いて閲覧および印刷をすることができる。しかも、香典帳閲覧プログラム１５ｇが起動されるＰＣによれば、当該ＰＣ上で一覧ウィンドウ１１０を用いて閲覧されるデータをＰＣ上で起動される表計算プログラムにより編集可能な表計算データファイルにも変換できるので、この変換後の表計算データファイルを自宅のＰＣで表計算プログラムを用いて再編集することもできる。
【０１３５】
なお、本実施例において、請求項１記載の画像取得手段としてはＳ４１の処理が、画像プレビュー手段としてはＳ４２の処理が、内訳プレビュー手段としてはＳ５２の処理が、データ書込手段としてはＳ６２〜Ｓ６４の処理が、画像一覧手段としてはＳ６５の処理が、内訳一覧手段としてはＳ６６の処理が、それぞれ該当する。請求項２記載の選択検出手段としてはＳ１９の処理が、画像拡大手段としてはＳ７２の処理が、内訳再表示手段としてはＳ７３の処理が、それぞれ該当する。請求項３記載の合計算出手段及び合計表示手段としてはＳ６１のＹｅｓの分岐及びＳ６７の処理が該当する。請求項５記載の画像一覧手段としてはＳ１０３の処理が、内訳一覧手段としてはＳ１０４の処理が、選択検出手段としてはＳ１１４の処理が、画像拡大手段としてはＳ１１６の処理が、それぞれ該当する。請求項６記載のデータ変換手段としてはＳ１２３のＹｅｓの分岐及びＳ１２４の処理が該当する。
【０１３６】
以上、実施例に基づき本発明を説明したが、本発明は上記実施例に何ら限定されるものではなく、本発明の趣旨を逸脱しない範囲内で種々の改良変形が可能であることは容易に推察できるものである。
【図面の簡単な説明】
【０１３７】
【図１】本発明の一実施例である香典帳作成システムを構成する各種機器の外観図である。
【図２】香典帳作成システムの電気的構成を示すブロック図である。
【図３】対応情報メモリの概念図である。
【図４】スキャナの画像読取面を下方から見上げた状態を示した図である。
【図５】（ａ）は香典帳の表紙頁を、（ｂ）は香典帳の内容掲載頁を、それぞれ図示したものである。
【図６】香典帳作成プログラムの実行時にディスプレイに表示されるプレビューウィンドウ及び一覧ウィンドウを示す図である。
【図７】詳細設定ウィンドウの表示状態を示す図である。
【図８】金額表示ボタンと金額選択ウィンドウとの表示状態を示す図である。
【図９】ＣＤ書込確認ウィンドウの表示状態を示す図である。
【図１０】印刷設定ウィンドウの表示状態を示す図である。
【図１１】香典帳作成システムのメイン処理を示したフローチャートである。
【図１２】イベントチェック処理を示したフローチャートである。
【図１３】詳細設定処理を示したフローチャートである。
【図１４】画像読取処理を示したフローチャートである。
【図１５】金額選択設定処理を示したフローチャートである。
【図１６】データ保存処理を示したフローチャートである。
【図１７】修正・削除処理を示したフローチャートである。
【図１８】ＣＤ書込処理によって各種データがコピーされたＣＤ−ＲＷの内部構成を示す概念図である。
【図１９】香典帳閲覧プログラムの実行時にディスプレイに表示される拡大表示ウィンドウ及び一覧ウィンドウを示す図である。
【図２０】（ａ）は、詳細設定ウィンドウの表示状態を示す図であり、（ｂ）は、データ変換設定ウィンドウの表示状態を示す図である。
【図２１】香典閲覧プログラムが起動することで香典閲覧システムとして機能するＰＣで実行されるメイン処理を示したフローチャートである。
【図２２】イベントチェック処理を示したフローチャートである。
【図２３】データ変換処理を示したフローチャートである。
【符号の説明】
【０１３８】
１        香典帳作成システム（金品受領ファイリングシステム）
３        スキャナ（撮像装置）
５        ディスプレイ（表示画面）
６        キーボード（入力手段の一部、内訳変更手段の一部）
７        マウス（入力手段の一部、選択手段の一部、内訳変更手段の一部、画面操作手段）
１４      ＨＤドライブ（記憶装置の一部）
１５      ＨＤ（記憶装置の一部）
１６      ＣＤ−ＲＯＭドライブ（記憶装置の一部）
１７      ＣＤ−ＲＷ（記憶装置の一部）
２３      プレビュー枠（画像プレビュー領域）
２４      金額入力欄（内訳プレビュー領域）
２７      金額表示ボタン（入力手段の一部）
３０      一覧ウィンドウ（一覧領域）
３１      縮小表示枠（縮小領域）
３２      金額表示欄（内訳領域）
３４      合計金額表示欄（合計金額表示手段の一部）
５０      金額選択ウィンドウ（入力手段の一部、内訳変更手段の一部）
１０１    拡大表示領域（拡大領域）
１１５    データ変更ボタン（変換要求スイッチの一部）
１３４    保存ボタン（変換要求スイッチの一部）
Ａ        撮像範囲
【図１】
2006171977.tif 000003
【図２】
2006171977.tif 000004
【図３】
2006171977.tif 000005
【図４】
2006171977.tif 000006
【図５】
2006171977.tif 000007
【図６】
2006171977.tif 000008
【図７】
2006171977.tif 000009
【図８】
2006171977.tif 000010
【図９】
2006171977.tif 000011
【図１０】
2006171977.tif 000012
【図１１】
2006171977.tif 000013
【図１２】
2006171977.tif 000014
【図１３】
2006171977.tif 000015
【図１４】
2006171977.tif 000016
【図１５】
2006171977.tif 000017
【図１６】
2006171977.tif 000018
【図１７】
2006171977.tif 000019
【図１８】
2006171977.tif 000020
【図１９】
2006171977.tif 000021
【図２０】
2006171977.tif 000022
【図２１】
2006171977.tif 000023
【図２２】
2006171977.tif 000024
【図２３】
2006171977.tif 000025